(57)【要約】【課題】設備機器の管理に用いられる管理装置の記憶容量を低減することができる機器管理システムおよびプログラム取得方法を提供する。【解決手段】機器管理システム１は、管理対象の設備機器１０、２０を管理する機器管理システムであって、管理装置３０と、提供装置４０、１４０、２４０とを備える。管理装置３０は、管理対象の設備機器１０、２０に接続される。また、管理装置３０は、管理対象の設備機器１０、２０に対応する管理プログラムＰ１、Ｐ２に基づいて管理対象の設備機器１０、２０を管理する。提供装置４０、１４０、２４０は、管理装置３０に接続される。また、提供装置４０、１４０、２４０は、管理プログラムＰ１、Ｐ２の提供を行う。管理プログラムＰ１、Ｐ２が、管理対象の設備機器１０、２０から取得された機器情報に応じて提供装置４０、１４０、２４０から管理装置３０に対して送信される。【選択図】        図１
2004234176.tif 000002
【特許請求の範囲】
【請求項１】
管理対象の設備機器（１０、２０）を管理する機器管理システムであって、
前記管理対象の設備機器（１０、２０）に接続され、前記管理対象の設備機器（１０、２０）に応じた管理プログラム（Ｐ１、Ｐ２）に基づいて前記管理対象の設備機器（１０、２０）を管理する管理装置（３０）と、
前記管理装置（３０）に接続され、前記管理プログラム（Ｐ１、Ｐ２）の提供を行う提供装置（４０、１４０、２４０）と、を備え、
前記管理プログラム（Ｐ１、Ｐ２）が、前記管理対象の設備機器（１０、２０）から取得された機器情報に応じて前記提供装置（４０、１４０、２４０）から前記管理装置（３０）に対して送られる、
機器管理システム（１、１０１、２０１）。
【請求項２】
前記提供装置（１４０）は、前記機器情報に基づいて前記管理プログラム（Ｐ１、Ｐ２）を作成する作成部（１４１）、
請求項１に記載の機器管理システム（１０１）。
【請求項３】
前記提供装置（４０、２４０）は、少なくとも前記管理プログラム（Ｐ１、Ｐ２）を含む複数の管理プログラム候補（Ｐ１、Ｐ２、・・・Ｐｎ）を事前に保持する第１保持部（４１、２４１）を有する、
請求項１に記載の機器管理システム（１、２０１）。
【請求項４】
前記管理装置（３０）は、前記提供装置（４０、１４０、２４０）から送信される前記管理プログラム（Ｐ１、Ｐ２）を保持する第２保持部（３２）を有し、前記提供装置は、前記第１保持部（４１、２４１）に保持される前記管理プログラム（Ｐ１、Ｐ２）と前記第２保持部（３２）に保持される前記管理プログラム（Ｐ１、Ｐ２）とを比較し、両者が異なる場合に前記第２保持部（３２）に保持される前記管理プログラム（Ｐ１、Ｐ２）を前記第１保持部（４１、１４１）に保持される前記管理プログラム（Ｐ１、Ｐ２）に置き換える、
請求項３に記載の機器管理システム（１、２０１）。
【請求項５】
前記提供装置（４０）は、前記管理装置（３０）が設置される現地に設けられる、
請求項１から４のいずれかに記載の機器管理システム（１）。
【請求項６】
管理対象の設備機器（１０、２０）を管理する機器管理システムにおいて、管理プログラム（Ｐ１、Ｐ２）に基づいて前記設備機器（１０、２０）を管理する管理装置（３０）が前記管理プログラム（Ｐ１、Ｐ２）を取得するためのプログラム取得方法であって、
前記設備機器（１０、２０）の機器情報を取得する第１ステップと、
前記機器情報に応じて前記管理プログラム（Ｐ１、Ｐ２）を取得する第２ステップと、を備えるプログラム取得方法。
【請求項７】
管理対象の設備機器（１０，２０）を管理するための機器管理装置であって、前記管理対象の設備機器（１０、２０）から取得される機器情報に応じて外部より前記管理プログラム（Ｐ１、Ｐ２）を取得する取得部と、
前記取得部により取得される前記管理プログラム（Ｐ１、Ｐ２）に基づいて前記管理対象の設備機器（１０，２０）を管理する管理部（３１）と、を備える機器管理装置（３０）。
【発明の詳細な説明】
【０００１】
【発明の属する技術分野】
本発明は、機器管理システムおよびプログラム取得方法に関する。
【０００２】
【従来の技術】
近年、各種機能を提供する設備機器を総合的に管理（監視、制御など）するための機器管理システムが提案されている（例えば、特許文献１）。この機器管理システムでは、設備機器に接続される管理装置を設け、この管理装置を用いて設備機器の管理を行っている。この管理装置は、管理対象の設備機器に特有の情報（以下、機器情報という）を元に作成される管理対象の設備機器専用の管理プログラムに基づいて設備機器の管理を行っている。この機器情報は、例えば、管理対象機器の機種、設置条件、稼働条件などである。
【０００３】
例えば、空調機の管理システムでは、空調機の機器情報を元に、この空調機専用の管理プログラムが作成されている。そして、この空調機専用の管理プログラムを用いて、空調機の管理が行われている。
【０００４】
【特許文献１】
特開２００２−１６３００７号公報
【０００５】
【発明が解決しようとする課題】
ところが、このような空調機の管理システムにおいては、管理対象の空調機がそれぞれ機器情報の異なる複数の空調機である場合がある。このような空調機を管理するため、管理装置には、管理対象の空調機に対応する複数の管理プログラムが必要となる。このような状況に対処するために、管理装置が管理対象となり得る全ての空調機に対応する多数の管理プログラム候補を備える必要がある。その結果、従来の機器管理システムにおいては、管理装置が多数の管理プログラム候補を保持するために莫大な記憶容量を必要としている。
【０００６】
そこで、本発明では、設備機器の管理に用いられる管理装置の記憶容量を低減することができる機器管理システムおよびプログラム取得方法を提供することを目標とする。
【０００７】
【課題を解決するための手段】
請求項１に記載の機器管理システムは、管理対象の設備機器を管理する機器管理システムであって、管理装置と、提供装置とを備える。管理装置は、管理対象の設備機器に接続される。また、管理装置は、管理対象の設備機器に対応する管理プログラムに基づいて管理対象の設備機器を管理する。提供装置は、管理装置に接続される。また、提供装置は、管理プログラムの提供を行う。管理プログラムは、管理対象の設備機器から取得された機器情報に応じて、提供装置から管理装置に対して送信される。この機器情報は、管理対象の設備機器に特有の情報、例えば、機種名、設置状況、稼働状況などである。
【０００８】
この機器管理システムでは、機器情報が、設備機器から取得される。さらに、管理プログラムが、取得された機器情報に応じて提供装置から管理装置に対して送信される。そして、管理装置は、管理プログラムに基づいて管理対象の設備機器を管理する。
ここでは、管理対象の設備機器に対応する管理プログラムが、管理対象の設備機器の機器情報に応じて提供装置から管理装置に対して送信される。つまり、管理装置は、管理対象となり得る全ての設備機器に対応する多数の管理プログラム候補をあらかじめ保持せずに、管理対象の設備機器に対応する管理プログラムを取得することができる。その結果、この機器管理システムでは、設備機器の管理に用いる管理装置の記憶容量を低減させることができる。
【０００９】
請求項２に記載の機器管理システムは、請求項１に記載の機器管理システムであって、提供装置は、作成部を有する。この作成部は、機器情報に基づいて管理プログラムを作成する。
ここでは、管理装置に取得される管理プログラムが、機器情報に基づいて提供装置の作成部により作成される。このため、提供装置は、管理プログラムをあらかじめ保持する必要がない。その結果、この機器管理システムでは、設備機器の管理に用いる提供装置の記憶容量を低減させることができる。
【００１０】
請求項３に記載の機器管理システムは、請求項１に記載の機器管理システムであって、提供装置は、複数の管理プログラム候補を事前に保持する第１保持部を有する。この管理プログラム候補は、少なくとも管理プログラムを含む。
ここでは、提供装置が、管理対象の設備機器を管理するための管理プログラムを事前に第１保持部おいて保持している。つまり、管理プログラムが提供装置から管理装置に対して送られる際には、管理対象の設備機器の機器情報に応じた管理プログラムが提供装置においてすでに用意されている。その結果、この機器管理システムでは、システムを運用する際の情報処理に関する負荷を軽減することができる。
【００１１】
請求項４に記載の機器管理システムは、請求項３に記載の機器管理システムであって、管理装置は、提供装置から取得した管理プログラムを保持する第２保持部を有する。提供装置は、第１保持部に保持される管理プログラムと第２保持部に保持される管理プログラムとを比較する。そして、提供装置は、両者が異なる場合に、第２保持部に保持される管理プログラムを第１保持部に保持される管理プログラムに置き換える。
【００１２】
ここでは、保持部に保持される管理プログラムと提供装置に保持される管理プログラムとが異なる場合に、提供装置は、保持部に保持される管理プログラムを提供装置に保持される管理プログラムに置き換える。このため、例えば、機器管理システムの管理者などが提供装置に保持される管理プログラムを変更しても、この変更が、保持部に保持される管理プログラムに反映される。その結果、この機器管理システムでは、システムの有用性を向上させることができる。
【００１３】
請求項５に記載の機器管理システムは、請求項１から４のいずれかに記載の機器管理システムであって、提供装置は、管理装置が設置される現地に設けられる。
ここでは、管理装置と提供装置とが同一の場所に設けられる。このため、管理装置が外部と通信環境が悪い場所に設置されていても、管理装置が管理プログラムを提供装置から取得する確実性が向上する。その結果、この機器管理システムでは、システムの稼働安定性を向上させることができる。
【００１４】
請求項６に記載のプログラム取得方法は、管理対象の設備機器を管理する機器管理システムにおいて、管理装置が管理プログラムを取得するためのプログラム取得方法であって、第１ステップと、第２ステップとを備えている。この管理装置は、管理プログラムに基づいて設備機器を管理する。第１ステップでは、設備機器の機器情報を取得する。第２ステップでは、機器情報に応じて管理プログラムを取得する。
【００１５】
ここでは、管理対象の設備機器に対応する管理プログラムが、管理対象の設備機器の機器情報に応じて提供装置から管理装置に対して送信される。つまり、管理装置は、管理対象となり得る全ての設備機器に対応する多数の管理プログラム候補をあらかじめ保持せずに、管理対象の設備機器に対応する管理プログラムを取得することができる。その結果、この機器管理システムでは、設備機器の管理に用いる管理装置の記憶容量を低減させることができる。
【００１６】
請求項７に記載の機器管理装置は、管理対象の設備機器を管理するための機器管理装置であって、取得部と、管理部とを備えている。取得部は、管理対象の設備機器から取得される機器情報に応じて外部より管理プログラムを取得する。管理部は、取得部により取得される管理プログラムに基づいて管理対象の設備機器を管理する。
【００１７】
この管理装置では、機器情報が管理対象の設備機器から取得される。そして、取得部が、この機器情報に応じて外部より管理プログラムを取得する。さらに、管理部が、この管理プログラムに基づいて管理対象の設備機器を管理する。
ここでは、管理対象の設備機器に対応する管理プログラムが、管理対象の設備機器の機器情報に応じて取得部により外部から取得される。つまり、この管理装置では、管理対象となり得る全ての設備機器に対応する多数の管理プログラム候補をあらかじめ保持せずに、管理対象の設備機器に対応する管理プログラムを外部から取得することができる。その結果、設備機器の管理に用いる機器管理装置の記憶容量を低減させることができる。
【００１８】
【発明の実施の形態】
＜空調機の管理システムの全体構成＞
本発明の一実施の形態が採用される空調機の管理システム１を図１に示す。ここに示す空調機の管理システム１は、空調機１０、２０やコントローラ３０のメーカーなどが、空調機１０、２０が設置されるビルや住宅などの建物２のオーナーや空調機１０、２０の使用者などに対して様々なサービスを提供するためのシステムである。この空調機の管理システム１は、主に、空調機１０、２０に接続されるコントローラ３０と、コントローラ３０に接続される端末機器４０とから構成されている。
【００１９】
なお、ここでは、一台のコントローラ３０に接続される複数の空調機１０、２０・・・をシステムの前提としているが、小規模のシステム（住宅などに設置される空調機の管理システムなど）においては、一台のコントローラに一台の空調機が接続されることもあり得る。
（空調機）
空調機１０、２０は、ビルや住宅などの建物２に設置され、調和された空気を室内に送風することにより室内の快適性を向上させる設備機器である。この空調機１０、２０は、複数の室内機および室外機を備えるマルチ空調機であっても、熱源機器および二次側空調機を備えるセントラル空調機であっても、またその他の種類の空調機であっても良い。
【００２０】
空調機１０、２０は、それぞれコントローラ３０に接続されており、空調機１０、２０の機種名をコントローラ３０に対して送信する機能を有している。さらに、空調機１０、２０は、コントローラ３０から空調機１０、２０の稼働に関する指令を受けて、その指令に応じて稼働する。
（コントローラ）
コントローラ３０は、空調機１０、２０の設置される建物２の制御室などに設けられ、通信線を介して空調機１０、２０と接続されている。コントローラ３０は、管理プログラムＰ１、Ｐ２に基づいて空調機１０、２０の管理を行う管理部３１と、管理プログラムＰ１、Ｐ２を保持可能なメモリ３２とを有している。管理プログラムＰ１は、空調機１０に対応する空調機管理用のプログラムである。
また、管理プログラムＰ２は、空調機２０に対応する空調機管理用のプログラムである。管理部３１は、これらの管理プログラムＰ１、Ｐ２を用いて、空調機１０、２０に対して制御指令を送信したり空調機１０、２０から空調機１０、２０の稼働情報を取得したりすることにより、空調機１０、２０を管理する。メモリ３２には、端末機器４０から管理プログラムＰ１、Ｐ２が送信された後、これらの管理プログラムＰ１、Ｐ２が保持される。
【００２１】
さらに、コントローラ３０は、空調機１０、２０から送信される空調機１０、２０の機種名を端末機器４０に対して送信する。
（端末機器）
端末機器４０は、コントローラ３０と同様に空調機１０、２０の設置される建物２の制御室などに設けられ、通信線を介してコントローラ３０と接続されている。端末機器４０は、データベース４１と、比較部４２とを有する。このデータベース４１は、複数の管理プログラム候補Ｐ１、Ｐ２、・・・Ｐｎを事前に保持している。これら複数の管理プログラム候補Ｐ１、Ｐ２、・・・Ｐｎが、この空調機の管理システム１の管理対象となり得る全ての空調機に対応する。この管理プログラム候補Ｐ１、Ｐ２、・・・Ｐｎには、空調機１０に対応する管理プログラムＰ１と、空調機２０に対応する管理プログラムＰ２とが含まれている。端末機器４０は、コントローラ３０から送信される空調機１０、２０の機種名に応じて、管理プログラム候補Ｐ１、Ｐ２、・・・Ｐｎから空調機１０、２０に対応する管理プログラムＰ１、Ｐ２を選択する。そして、端末機器４０は、選択される管理プログラムＰ１、Ｐ２をコントローラ３０に対して送信する。比較部４２は、コントローラ３０のメモリ３２に保持される管理プログラムＰ１、Ｐ２と、端末機器４０のデータベース４１に保持される管理プログラムとＰ１、Ｐ２を比較する。これら両者が異なる場合に、端末機器４０はメモリ３２に保持される管理プログラムＰ１、Ｐ２をデータベース４１に保持される管理プログラムＰ１、Ｐ２と置き換える。
【００２２】
なお、ここでは、複数の管理プログラム候補Ｐ１、Ｐ２、・・・Ｐｎが、事前にデータベース４１において保持されている。この複数の管理プログラム候補Ｐ１、Ｐ２、・・・Ｐｎは、当初よりデータベース４１において保持されていてもよいし、図示しない外部のセンタなどから複数の管理プログラム候補Ｐ１、Ｐ２、・・・Ｐｎをデータベース４１にダウンロードして、データベース４１において保持するようにしてもよい。
【００２３】
＜管理プログラムの取得過程＞
上記のような機器から構成される空調機の管理システム１では、空調機１０、２０の管理開始前に、コントローラ３０が空調機１０、２０に対応する管理プログラムＰ１、Ｐ２を取得する必要がある。この管理プログラムＰ１、Ｐ２を取得する過程のフローを図２に示す。
【００２４】
まず、空調機１０、２０は、自らの機種名をコントローラ３０に対して送信する（ステップＳ１０１）。コントローラ３０は、空調機１０、２０から送信される空調機１０、２０の機種名を端末機器４０に送信する（ステップＳ１０２）。
そして、端末機器４０は、コントローラ３０から送信される空調機１０、２０の機種名に応じて空調機１０、２０に対応する管理プログラムＰ１、Ｐ２を選択し（ステップＳ１０３）、この管理プログラムＰ１、Ｐ２をコントローラ３０に対して送信する（ステップＳ１０４）。そして、端末機器４０から送信される管理プログラムＰ１、Ｐ２は、コントローラ３０のメモリ３２に保持される（ステップＳ１０５）。その後、コントローラ３０のメモリ３２に保持される管理プログラムＰ１、Ｐ２は、空調機１０、２０の管理が行われる際にコントローラ３０において用いられる（ステップＳ１０６）。
【００２５】
＜空調機の管理システムの特徴＞
（１）
この空調機の管理システム１では、コントローラ３０が管理対象の空調機１０、２０の機器情報に応じて端末機器４０から空調機１０、２０に対応する管理プログラムＰ１、Ｐ２を取得する。つまり、コントローラ３０は、空調機１０、２０の管理に用いる管理プログラムＰ１、Ｐ２を端末機器４０から取得している。
このため、メモリ３２が管理対象となりうる全ての空調機に対応する複数の管理プログラム候補Ｐ１、Ｐ２、・・・Ｐｎをあらかじめ保持せずに、管理対象の空調機１０、２０に対応する管理プログラム候補Ｐ１、Ｐ２を取得することができる。その結果、この空調機の管理システム１では、コントローラ３０が空調機１０、２０の管理を行う際にメモリ３２の記憶容量を低減することができる。
【００２６】
（２）
この空調機の管理システム１では、端末機器４０において管理プログラム候補Ｐ１、Ｐ２、・・・Ｐｎが事前に保持されている、つまり、管理対象の空調機１０、２０の機器情報に応じた管理プログラムＰ１、Ｐ２が端末機器４０においてすでに用意されている。したがって、コントローラ３０が端末機器４０から管理プログラムＰ１、Ｐ２を取得する際には、コントローラ３０は、端末機器４０は保持する管理プログラム候補Ｐ１、Ｐ２、・・・Ｐｎから管理プログラムＰ１、Ｐ２を選択し、コントローラ３０に対して管理プログラムＰ１、Ｐ２を送信するだけでよい。その結果、この空調機の管理システム１では、システム運用時開始前における端末機器４０の情報処理に関する負荷を低減することができる。
【００２７】
（３）
この空調機の管理システム１では、コントローラ３０のメモリ３２に保持される管理プログラムＰ１、Ｐ２と端末機器４０のデータベース４１に保持される管理プログラムＰ１、Ｐ２とが異なる場合に、端末機器４０はメモリ３２に保持される管理プログラムＰ１、Ｐ２をデータベース４１に保持される管理プログラムＰ１、Ｐ２と置き換えている。このため、このシステムの管理者などがデータベース４１に保持される管理プログラムＰ１、Ｐ２の変更を行う際にも、この管理プログラムＰ１、Ｐ２の変更がコントローラ３０のメモリ３２に保持される管理プログラムＰ１、Ｐ２に反映される。その結果、この空調機の管理システム１では、システムの有用性を向上させることができる。
【００２８】
（４）
この空調機の管理システム１では、端末機器４０が、コントローラ３０と同じ建物２の制御室などに設けられている。このため、コントローラ３０の設置場所が建物２の外部との通信状態が悪い場所であっても、コントローラ３０の近傍に端末機器４０が設置されるため、コントローラ３０は端末機器４０から容易に管理プログラムＰ１、Ｐ２を取得することができる。その結果、この空調機の管理システム１では、システムの稼働安定性を向上させることができる。
【００２９】
＜他の実施の形態＞
以上、本発明について説明したが、具体的に構成は、上記の実施の形態に限られるものではなく、発明の要旨を逸脱しない範囲で変更可能である。
（ａ）
上記実施の形態では、端末機器４０のデータベース４１において管理プログラム候補Ｐ１、Ｐ２、・・・Ｐｎを事前に保持している。これに代えて、図３に示す空調機の管理システム１０１のように、端末機器１４０に管理プログラムＰ１、Ｐ２を作成する作成部１４１を設けてもよい。
【００３０】
この作成部１４１は、コントローラ３０から送信される空調機１０、２０の機種名に基づいて空調機１０、２０に対応する管理プログラムＰ１、Ｐ２を作成する。
図４に、この空調機の管理システム１０１においてコントローラ３０が管理プログラムＰ１、Ｐ２を取得する過程を示す。
【００３１】
まず、空調機１０、２０は、自らの機種名をコントローラ３０に対して送信する（ステップＳ２０１）。コントローラ３０は、空調機１０、２０から送信される空調機１０、２０の機種名を端末機器１４０に送信する（ステップＳ２０２）。そして、端末機器１４０の作成部１４１が、コントローラ３０から送信される空調機１０、２０の機種名に応じて空調機１０、２０に対応する管理プログラムＰ１、Ｐ２を作成する（ステップＳ２０３）。端末機器１４０は、作成された管理プログラムＰ１、Ｐ２をコントローラ３０に対して送信する（ステップＳ２０４）。そして、端末機器４０から送信される管理プログラムＰ１、Ｐ２は、コントローラ３０のメモリ３２に保持される（ステップＳ２０５）。その後、コントローラ３０のメモリ３２に保持される管理プログラムＰ１、Ｐ２は、空調機１０、２０の管理が行われる際にコントローラ３０において用いられる（ステップＳ２０６）。
【００３２】
この空調機の管理システム１０１では、管理プログラムＰ１、Ｐ２が、空調機１０、２０の機種名に基づいて作成部１４１により作成される。このため、端末機器１４０は、複数の管理プログラム候補Ｐ１、Ｐ２、・・・Ｐｎを事前に保持する必要がない。その結果、この空調機の管理システム１０１では、端末機器１４０の記憶容量を低減することができる。
【００３３】
（ｂ）
上記実施の形態では、管理プログラムＰ１、Ｐ２が、空調機１０、２０の機種名に基づいて選択されている。これに代えて（加えて）、管理プログラムが管理対象の空調機の設置情報、温度情報、湿度情報、運転時間情報、設置日時情報などの少なくともいずれか一つの情報に基づいて選択されてもよい。すなわち、管理対象の空調機に特有の情報に基づいて管理プログラムが選択されればよい。
【００３４】
上記の設置情報としては、空調機の設置場所、配管長さ、室内機数、空調機が設置される場所の周囲環境（海辺、工業地帯、日向、日陰など）、空調機が設置される場所の用途（厨房、事務所など）がある。温度情報としては、空調機が設置される場所の屋外平均温度などがある。湿度情報としては、空調機が設置される場所の屋外平均湿度などがある。
【００３５】
このような空調機の管理システムでは、管理対象の空調機に特有であって詳細な情報に基づいて管理プログラムが選択される。このため、空調機の管理を詳細に行うことができる。
（ｃ）
上記実施の形態では、端末機器４０からコントローラ３０に対して管理プログラムＰ１、Ｐ２が送信されている。これに代えて、コントローラが、端末機器に保持される管理プログラムを読み込むようにしてもよい。すなわち、端末機器に保持される管理プログラムが、コントローラのメモリに保持されればよい。
【００３６】
（ｄ）
上記実施の形態では、管理プログラム候補Ｐ１、Ｐ２、・・・Ｐｎを保持する端末機器４０がコントローラ３０の設置される建物２に設けられている。これに代えて、図４に示すように、管理プログラム候補Ｐ１、Ｐ２、・・・Ｐｎを保持するデータセンタ２４０を建物２の遠方に設けてもよい。
【００３７】
このデータセンタ２４０は、インターネットや公衆回線などのネットワークを介して複数のコントローラ３０に接続されている。データセンタ２４０は、上記端末機器４０と同様の構成のデータベース２４１と、比較部２４２とを有する。
この空調機の管理システム２０１では、建物２の遠方に設けられるデータセンタ２４０のデータベース２４１において管理プログラム候補Ｐ１、Ｐ２、・・・Ｐｎを保持している。このため、複数の管理プログラム候補Ｐ１、Ｐ２、・・・Ｐｎを保持する機器を空調機が設置される建物ごとに設ける必要がない。その結果、システムの構成を簡略化することができる。
【００３８】
【発明の効果】
以上の説明に述べたように、本発明によれば、以下の効果が得られる。
請求項１に係る発明では、管理対象の設備機器に対応する管理プログラムが、管理対象の設備機器の機器情報に応じて提供装置から管理装置に対して送信される。つまり、管理装置は、管理対象となり得る全ての設備機器に対応する多数の管理プログラム候補をあらかじめ保持せずに、管理対象の設備機器に対応する管理プログラムを取得することができる。その結果、この機器管理システムでは、設備機器の管理に用いる管理装置の記憶容量を低減することができる。
【００３９】
請求項２に係る発明では、管理装置に取得される管理プログラムが、機器情報に基づいて提供装置の作成部により作成される。このため、提供装置は、管理プログラムをあらかじめ保持する必要がない。その結果、この機器管理システムでは、設備機器の管理に用いる提供装置の記憶容量を低減することができる。
請求項３に係る発明では、提供装置が、管理対象の設備機器を管理するための管理プログラムを事前に第１保持部おいて保持されている。つまり、管理プログラムが提供装置から管理装置に対して送られる際には、管理対象の設備機器の機器情報に応じた管理プログラムが提供装置においてすでに用意されている。その結果、この機器管理システムでは、システムを運用する際の情報処理に関する負荷を軽減することができる。
【００４０】
請求項４に係る発明では、保持部に保持される管理プログラムと提供装置に保持される管理プログラムとが異なる場合に、提供装置は、保持部に保持される管理プログラムを提供装置に保持される管理プログラムに置き換える。このため、例えば、機器管理システムの管理者などが提供装置に保持される管理プログラムを変更しても、この変更が、保持部に保持される管理プログラムに反映される。
その結果、この機器管理システムでは、システムの有用性を向上させることができる。
【００４１】
請求項５に係る発明では、管理装置と提供装置とが同一の場所に設けられる。
このため、管理装置が外部と通信環境が悪い場所に設置されていても、管理装置が管理プログラムを提供装置から取得する確実性が向上する。その結果、この機器管理システムでは、システムの稼働安定性を向上させることができる。
請求項６に係る発明では、管理対象の設備機器に対応する管理プログラムが、管理対象の設備機器の機器情報に応じて提供装置から管理装置に対して送信される。つまり、管理装置は、管理対象となり得る全ての設備機器に対応する多数の管理プログラム候補をあらかじめ保持せずに、管理対象の設備機器に対応する管理プログラムを取得することができる。その結果、この機器管理システムでは、設備機器の管理に用いる管理装置の記憶容量を低減することができる。
【００４２】
請求項７に係る発明では、管理対象の設備機器に対応する管理プログラムが、管理対象の設備機器の機器情報に応じて取得部により外部から取得される。つまり、この管理装置では、管理対象となり得る全ての設備機器に対応する多数の管理プログラム候補をあらかじめ保持せずに、管理対象の設備機器に対応する管理プログラムを外部から取得することができる。その結果、設備機器の管理に用いる機器管理装置の記憶容量を低減させることができる。
【図面の簡単な説明】
【図１】本発明の一実施の形態が採用される空調機の管理システムの構成概要図。
【図２】コントローラが管理プログラムを取得する過程を示すフロー図。
【図３】本発明の他の実施の形態が採用される空調機の管理システムの構成概要図。
【図４】コントローラが管理プログラムを取得する過程を示すフロー図。
【図５】本発明の他の実施の形態が採用される空調機の管理システムの構成概要図。
【符号の説明】
１、１０１、２０１              空調機の管理システム（機器管理システム）１０、２０                      空調機（管理対象の設備機器）
３０                            コントローラ（管理装置）
４０、１４０、２４０            端末装置、データセンタ（提供装置）
Ｐ１、Ｐ２                      管理プログラム
Ｐ１、Ｐ２、・・・Ｐｎ          管理プログラム候補
【図１】
2004234176.tif 000003
【図２】
2004234176.tif 000004
【図３】
2004234176.tif 000005
【図４】
2004234176.tif 000006
【図５】
2004234176.tif 000007